(57)【要約】【課題】高強度な木造建物の接合構造を提供する。【解決手段】ドリフトピンを用いて軸組を構成する部材同士を接合する、木造建物の接合構造であって、前記部材の側面に対して斜めの方向にドリフトピンを配置することを特徴とする、木造建物の接合構造。【選択図】図１
2020056249.tif 000002
【特許請求の範囲】
【請求項１】
ドリフトピンを用いて軸組を構成する部材同士を接合する、木造建物の接合構造であって、
前記部材の側面に対して斜めの方向にドリフトピンを配置することを特徴とする、木造建物の接合構造。
【請求項２】
柱と横架材とを連結パイプを介して接合する、木造建物の接合構造であって、
前記横架材と前記連結パイプを接合するドリフトピンは、前記横架材の側面に対して斜めの方向に配置することを特徴とする、木造建物の接合構造。
【請求項３】
請求項２に記載の木造建物の接合構造において、
前記柱と前記連結パイプを接合するドリフトピンは、前記柱の側面に対して斜めの方向に配置することを特徴とする、木造建物の接合構造。
【発明の詳細な説明】
【技術分野】
【０００１】
本発明は、木造建物、特に木造軸組建物において用いられる接合構造に関するものである。
【背景技術】
【０００２】
木造軸組建物においては、柱や横架材など軸組を構成する部材同士を、金物を介して接合することが一般的になっている。
特に、柱と横架材の接合においては、連結パイプをそれぞれの下穴に挿入し、側方からドリフトピンを挿通して固定する方法が知られている。
【先行技術文献】
【特許文献】
【０００３】
【特許文献１】特開２０１７−２０２２２号公報
【発明の概要】
【発明が解決しようとする課題】
【０００４】
従来の連結パイプを用いた接合構造において、ドリフトピンは部材の面に対して垂直に挿入するため、ドリフトピンの長さは短くなる（図５）
地震等により柱に作用した力は、連結パイプからドリフトピンを介して横架材に伝達する。
ドリフトピンの長さが短いと、横架材に作用するドリフトピンの単位長さあたりの力は大きくなり、横架材が破損するおそれがある。
【０００５】
本発明は、高強度な木造建物の接合構造を提供することを目的とする。
【課題を解決するための手段】
【０００６】
上記目的を達成するためになされた本願の第１発明は、ドリフトピンを用いて軸組を構成する部材同士を接合する、木造建物の接合構造であって、前記部材の側面に対して斜めの方向にドリフトピンを配置することを特徴とする、木造建物の接合構造を提供する。
本願の第２発明は、柱と横架材とを連結パイプを介して接合する、木造建物の接合構造であって、前記横架材と前記連結パイプを接合するドリフトピンは、前記横架材の側面に対して斜めの方向に配置することを特徴とする、木造建物の接合構造を提供する。
本願の第３発明は、第２発明の木造建物の接合構造において、前記柱と前記連結パイプを接合するドリフトピンは、前記柱の側面に対して斜めの方向に配置することを特徴とする、木造建物の接合構造を提供する。
【発明の効果】
【０００７】
本発明は、上記した課題を解決するための手段により、次のような効果の少なくとも一つを得ることができる。
（１）ドリフトピンを部材に対して斜めに配置することにより、ドリフトピンの長さが長くなる。これにより、部材に作用するドリフトピンの単位長さあたりの力は小さくなり、部材が破損するおそれが少なくなり、高強度の接合構造とすることができる。
（２）ドリフトピンを斜めに配置することにより、他の部材や受け金物などの金物に干渉せず、最適な手順で部材を接合することができる。
【図面の簡単な説明】
【０００８】
【図１】本発明の木造建物の接合構造の分解斜視図（１）
【図２】本発明の木造建物の接合構造の断面図（１）
【図３】本発明の木造建物の接合構造の分解斜視図（２）
【図４】本発明の木造建物の接合構造の断面図（２）
【図５】従来の木造建物の接合構造の断面図
【発明を実施するための形態】
【０００９】
以下、図に示す実施例に基づき、本発明を詳細に説明する。
【実施例】
【００１０】
［実施例１］
（１）接合構造
本発明の接合構造は、木造軸組建物において、横架材１と柱２とを接合して固定する構造である。
本発明の接合構造は、横架材１と柱２の内部に位置する連結パイプ３、横架材１に挿通する長ドリフトピン４１、および、柱２に挿通する短ドリフトピン４２と、を有する。（図１）
【００１１】
（２）連結パイプ
連結パイプ３は円筒状の部材である。（図２）
連結パイプ３は軸と直交する方向に長ドリフトピン４１または短ドリフトピン４２を挿通する側孔３１を設ける。
本実施例において、連結パイプ３に設ける側孔３１は、横架材１側には３カ所、柱２側には２カ所設ける。
連結パイプ３の下部は柱２に設けた下穴２１に挿入する。また、連結パイプ３の上部は横架材１に設けた下穴１１に挿入して固定する。
【００１２】
（３）ドリフトピンの配置
柱２側の短ドリフトピン４２は、四角形の柱２の側面に直交するように、かつ、互いに平面視直交する方向に設けたピン孔２２に挿通する。このため、短ドリフトピン４２は、柱２の幅とほぼ同じ長さとなる。
一方、横架材１側の長ドリフトピン４１は、横架材１の側面に対して斜めになるように設けたピン孔１２に挿通する。このため、長ドリフトピン４１は横架材１の幅よりも長くなる。本実施例においては３本のピン孔１２のうち真ん中のピン孔１２を他のピン孔１２に対して平面視交差するように設けるが、３本を平行に設けてもよい。
【００１３】
（４）連結パイプの側孔
連結パイプ３には、ピン孔１２、２２に対応する位置に側孔３１を形成する。
横架材１側の長ドリフトピン４１は横架材１の側面に対して斜めになるように設け、柱２側の短ドリフトピン４２は柱の側面に直交するように設ける。
このため、横架材１側の側孔３１の組と、柱２側の側孔３１の組は、異なる角度を呈する。
【００１４】
（５）長ドリフトピンの作用
長ドリフトピン４１は横架材１に対して斜めに配置されるため、直交するように配置される場合に比べて長さが長くなる（図２）。
地震等により柱２に作用した力は、連結パイプ３から長ドリフトピン４１を介して横架材１に伝達するが、長ドリフトピン４１の長さが長いため、横架材１に作用するドリフトピンの単位長さあたりの力は小さくなり、横架材１が破損するおそれが少なくなり、高強度な接合構造となる。
【００１５】
また、横架材１と直交する別の横架材１ａを受け金物５により接合する場合、横架材１に対して斜めにピン孔１２を設けることにより、横架材１ａや受け金物５がピン孔１２に干渉せず、受け金物５や横架材１ａを取り付けた後でも、柱２と横架材１を接合することができる。
【００１６】
［実施例２］
（１）柱側のドリフトピンの配置
上記実施例において、柱２側のドリフトピンは、柱２の側面に直交するように設けたが、柱２の対角線方向にピン孔２２を設けてもよい。
対角線方向にピン孔２２を設けることで、柱２の側面に直交する構成よりも長い長ドリフトピン４１となり、高強度な接合構造となる。
【符号の説明】
【００１７】
１…横架材、１１…下穴、１２…ピン孔
２…柱、２１…下穴、２２…ピン孔
３…連結パイプ、３１…側孔
４１…長ドリフトピン、４２…短ドリフトピン
５…受け金物
【図１】
2020056249.tif 000003
【図２】
2020056249.tif 000004
【図３】
2020056249.tif 000005
【図４】
2020056249.tif 000006
【図５】
2020056249.tif 000007